(57)【特許請求の範囲】
【請求項１】
側壁から突出する第１突出部材と、
平面視にて前記第１突出部材を挟むように、前記第１突出部材の突出方向に沿って前記側壁から張り出す一対の張出部と、前記張出部の先端部同士を連結し前記第１突出部材を支持する支持部と、有する支持部材と、
前記側壁に沿った側方であって一方の前記張出部に対する前記第１突出部材側とは反対側へ前記張出部から突出する第２突出部材と、
定着装置に設けられ、前記側方へ開口する開口部を有し、当該開口部に対して前記第１突出部材における前記支持部よりも先端側が前記側方へ差し込まれることで上下方向において前記定着装置を位置決めする第１位置決め部と、
前記定着装置に設けられ、前記側方へ開口する挿入孔を有し、当該挿入孔に対して前記第２突出部材がその軸方向へ挿入されることで上下方向及び前記突出方向において前記定着装置を位置決めする第２位置決め部と、
を備える定着装置の位置決め機構。
【請求項２】
前記第２突出部材が突出された前記張出部に形成され、前記第２位置決め部に突き当たって、前記側方において前記定着装置を位置決めする位置決め面
を備える請求項１に記載の定着装置の位置決め機構。
【請求項３】
前記支持部材の支持部は、前記第１突出部材の突出方向先端側を支持する請求項１又は２に記載の定着装置の位置決め機構。
【請求項４】
前記一対の張出部の少なくとも一方は、前記第１突出部材よりも上方で前記側壁に対して取り付けられている請求項１〜３のいずれか１項に記載の定着装置の位置決め機構。
【請求項５】
前記第１突出部材における前記支持部よりも基端側部分に回転可能に支持され、前記定着装置の定着ロールへ回転力を伝達する伝達部材を備える請求項１〜４のいずれか１項に記載の定着装置の位置決め機構。
【請求項６】
前記側壁に対する前記突出方向とは反対側に設けられ、前記第１突出部材が前記側壁を貫通して突出するように当該第１突出部材の基端部が取り付けられた取付部材と、
前記取付部材に取り付けられ、前記側壁を貫通して前記突出方向に沿って突出し、画像形成部を支持する第３突出部材と、
備える請求項１〜５のいずれか１項に記載の定着装置の位置決め機構。
【請求項７】
側壁を有する装置本体と、
前記装置本体に設けられ、記録媒体に画像を形成する画像形成部と、
前記装置本体に設けられ、画像形成部によって前記記録媒体に形成された画像を、当該記録媒体に定着する定着装置と、
前記定着装置を前記側壁に対して位置決めする請求項１〜６のいずれか１項に記載の定着装置の位置決め機構と、
を備える画像形成装置。
【発明の詳細な説明】
【技術分野】
【０００１】
本発明は、位置決め機構、画像形成装置に関する。
【背景技術】
【０００２】
特許文献１には、定着器が支持フレーム上に固定され、当該支持フレームが、プリンタ本体を構成する本体フレームに固定されて、定着器を下方側から支持する画像形成装置が開示されている。
【先行技術文献】
【特許文献】
【０００３】
【特許文献１】特開２００９−２５１５６１号公報
【発明の概要】
【発明が解決しようとする課題】
【０００４】
本発明は、簡易な構成で、高精度に定着装置を位置決めできるようにすることを課題とする。
【課題を解決するための手段】
【０００５】
請求項１の発明は、側壁から突出する第１突出部材と、平面視にて前記第１突出部材を挟むように、前記第１突出部材の突出方向に沿って前記側壁から張り出す一対の張出部と、前記張出部の先端部同士を連結し前記第１突出部材を支持する支持部と、有する支持部材と、前記側壁に沿った側方であって一方の前記張出部に対する前記第１突出部材側とは反対側へ前記張出部から突出する第２突出部材と、定着装置に設けられ、前記側方へ開口する開口部を有し、当該開口部に対して前記第１突出部材における前記支持部よりも先端側が前記側方へ差し込まれることで上下方向において前記定着装置を位置決めする第１位置決め部と、前記定着装置に設けられ、前記側方へ開口する挿入孔を有し、当該挿入孔に対して前記第２突出部材がその軸方向へ挿入されることで上下方向及び前記突出方向において前記定着装置を位置決めする第２位置決め部と、を備える定着装置の位置決め機構である。
【０００６】
請求項２の発明は、前記第２突出部材が突出された前記張出部に形成され、前記第２位置決め部に突き当たって、前記側方において前記定着装置を位置決めする位置決め面を備える請求項１に記載の定着装置の位置決め機構である。
【０００７】
請求項３の発明は、前記支持部材の支持部は、前記第１突出部材の突出方向先端側を支持する請求項１又は２に記載の定着装置の位置決め機構である。
【０００８】
請求項４の発明は、前記一対の張出部の少なくとも一方は、前記第１突出部材よりも上方で前記側壁に対して取り付けられている請求項１〜３のいずれか１項に記載の定着装置の位置決め機構である。
【０００９】
請求項５の発明は、前記第１突出部材における前記支持部よりも基端側部分に回転可能に支持され、前記定着装置の定着ロールへ回転力を伝達する伝達部材を備える請求項１〜４のいずれか１項に記載の定着装置の位置決め機構である。
【００１０】
請求項６の発明は、前記側壁に対する前記突出方向とは反対側に設けられ、前記第１突出部材が前記側壁を貫通して突出するように当該第１突出部材の基端部が取り付けられた取付部材と、前記取付部材に取り付けられ、前記側壁を貫通して前記突出方向に沿って突出し、画像形成部を支持する第３突出部材と、備える請求項１〜５のいずれか１項に記載の定着装置の位置決め機構である。
【００１１】
請求項７の発明は、側壁を有する装置本体と、前記装置本体に設けられ、記録媒体に画像を形成する画像形成部と、前記装置本体に設けられ、画像形成部によって前記記録媒体に形成された画像を、当該記録媒体に定着する定着装置と、前記定着装置を前記側壁に対して位置決めする請求項１〜６のいずれか１項に記載の定着装置の位置決め機構と、を備える画像形成装置である。
【発明の効果】
【００１２】
本発明の請求項１の構成によれば、本構成における支持部材を備えない場合に比べ、簡易な構成で、高精度に定着装置を位置決めできる。
【００１３】
本発明の請求項２の構成によれば、本構成における位置決め面を備えない場合に比べ、簡易な構成で、側壁に沿った側方において定着装置を位置決めできる。
【００１４】
本発明の請求項３の構成によれば、支持部が第１突出部材の突出方向基端側を支持する場合に比べ、第１突出部材の変位を抑制できる。
【００１５】
本発明の請求項４の構成によれば、張出部が第１突出部材よりも下方で側壁に対して取り付けられている場合に比べ、第１突出部材の下方への変位を抑制できる。
【００１６】
本発明の請求項５の構成によれば、伝達部材を支持する専用部品を備える場合に比べ、部品点数が低減される。
【００１７】
本発明の請求項６の構成によれば、本構成を備えない場合に比べ、高精度に、画像形成部に対して定着装置を位置決めできる。
【００１８】
本発明の請求項７の構成によれば、本構成における位置決め機構を備えない場合に比べ、簡易な構成で、高精度に定着装置を位置決めできる。
【図面の簡単な説明】
【００１９】
【図１】本実施形態に係る画像形成装置の構成を示す概略図である。
【図２】本実施形態に係る定着ユニットの構成を示す図３のＡ−Ａ線断面図である。
【図３】本実施形態に係る定着ユニットの構成を示す図２のＢ−Ｂ線断面図である。
【図４】本実施形態に係る装置本体（フレーム）の構成を示す斜視図である。
【図５】本実施形態に係るリアフレーム及びリア側位置決め機構の構成を示す斜視図である。
【図６】本実施形態に係るフロントフレーム及びフロント側位置決め機構の構成を示す斜視図である。
【図７】本実施形態に係るリア側位置決め機構の構成を示す斜視図である。
【図８】本実施形態に係るリア側位置決め機構の構成を示す平面図である。
【図９】本実施形態に係るリア側位置決め機構の構成を示す右側面図である。
【図１０】本実施形態に係るリア側位置決め機構の構成を示す左側面図である。
【図１１】本実施形態に係る定着ユニットがリア側位置決め機構によって位置決めされる構成を示す斜視図である。
【図１２】本実施形態に係るフロント側位置決め機構の構成を示す斜視図である。
【図１３】本実施形態に係る定着ユニットがフロント側位置決め機構によって位置決めされる構成を示す斜視図である。
【図１４】本実施形態に係る駆動機構の構成を示す右側面図である。
【発明を実施するための形態】
【００２０】
以下に、本発明に係る実施形態の一例を図面に基づき説明する。
【００２１】
（画像形成装置１０の構成）
まず、画像形成装置１０の構成を説明する。図１は、画像形成装置１０の構成を示す概略図である。なお、後述のＸ方向・−Ｘ方向・Ｙ方向（上方）・−Ｙ方向（下方）・Ｚ方向・−Ｚ方向は、図中に示される矢印方向である。また、図中の「○」の中に「×」が記載されたものは、紙面の手前から奥へ向かう矢印を意味し、図中の「○」の中に「・」が記載されたものは、紙面の奥から手前へ向かう矢印を意味する。
【００２２】
図１に示されるように、画像形成装置１０は、原稿の画像を読み取る画像読取装置５００と、記録媒体Ｐに画像を記録する画像記録装置１００と、を備えている。画像記録装置１００は、画像読取装置５００が読み取った原稿の画像の画像データや、画像形成装置１０の外部装置から取得した画像データに基づき、記録媒体Ｐに画像を記録（形成）することが可能となっている。
【００２３】
（画像読取装置５００）
図１に示されるように、画像読取装置５００は、画像読取装置本体５０２と、画像読取装置本体５０２の上部に設けられ原稿Ｇを搬送する原稿搬送装置５０４と、画像読取装置本体５０２の内部に設けられ原稿搬送装置５０４により搬送される原稿Ｇの画像を読み取る画像読取部５１０と、を備えている。
【００２４】
原稿搬送装置５０４は、複数の原稿Ｇが収容可能な原稿収容部（原稿トレイ）５０６を有している。原稿収容部（原稿トレイ）５０６に収容された原稿Ｇは、矢印Ｃ方向に示されるように、Ｕ字状に搬送されて原稿排出部５０８に排出されるようになっている。画像読取部５１０では、原稿搬送装置５０４で搬送される原稿Ｇに対して、発光部５１２から光を照射し、その光が原稿Ｇで反射され、複数のミラー５１４及び結像レンズ５１６を通じて、ＣＣＤ（Charge Coupled Device）イメージセンサ等の検出部５１８に結像される。このように、画像読取部５１０では、原稿搬送装置５０４で搬送される原稿の画像を読み取るようになっている。
【００２５】
画像読取装置本体５０２の上部には、透明板５２０が設けられており、この透明板５２０に載せられた原稿の画像も、画像読取部５１０は読取可能となっている。また、原稿搬送装置５０４は、画像読取装置本体５０２に対して開閉可能に取り付けられており、透明板５２０に載せられた原稿を押さえる押さえカバーとして機能するようになっている。
【００２６】
（画像記録装置１００）
画像記録装置１００は、図１に示されるように、各構成部品が内部に収容される装置本体１１を備えている。装置本体１１の内部には、用紙等の記録媒体Ｐが収容される収容部１２と、記録媒体Ｐに画像を形成（記録）する画像形成部（画像記録部）の一例としての画像形成ユニット６０と、画像形成ユニット６０によって記録媒体Ｐに形成された画像を当該記録媒体Ｐに定着する定着装置の一例としての定着ユニット８０と、収容部１２から画像形成ユニット６０へ記録媒体Ｐを搬送する搬送部１６と、が設けられている。また、装置本体１１の上部には、定着ユニット８０によって画像が定着された記録媒体Ｐが排出される排出部１８が設けられている。
【００２７】
画像形成ユニット６０は、画像を保持する像保持体の一例としての感光体ドラム３２を有している。感光体ドラム３２は、後述の第２スタッド２４２（図７参照）によって回転可能に支持されている。感光体ドラム３２の軸方向一端側（−Ｚ方向端側）には、保持体被駆動部の一例としての被駆動側カップリング３２Ａ（図１４参照）が設けられている。感光体ドラム３２は、後述の駆動機構３００（図１４参照）によって被駆動側カップリング３２Ａに駆動力が伝達され、一方向（例えば、図１における時計回り方向）へ回転するようになっている。
【００２８】
感光体ドラム３２の周囲には、感光体ドラム３２の回転方向上流側から順に、感光体ドラム３２を帯電させる帯電装置の一例としての帯電ロール２３と、帯電ロール２３によって帯電した感光体ドラム３２を露光して感光体ドラム３２に静電潜像を形成する露光装置３６と、露光装置３６によって感光体ドラム３２に形成された静電潜像を現像して黒色のトナー画像を形成する現像装置３８と、現像装置３８によって感光体ドラム３２に形成された黒色のトナー画像を記録媒体Ｐに転写する転写部材の一例としての転写ロール２６と、が設けられている。
【００２９】
現像装置３８は、現像剤を攪拌しながら当該現像剤を感光体ドラム３２の軸方向に沿って搬送する搬送部材３８Ｂと、搬送部材３８Ｂが搬送する現像剤を保持して当該現像剤を感光体ドラム３２へ供給する現像剤供給体としての現像ロール３８Ａと、を備えている。現像装置３８では、現像ロール３８Ａに電圧（現像バイアス）が印加されることで現像ロール３８Ａと感光体ドラム３２との間に電位差が生じ、この電位差によって、現像ロール３８Ａが保持した現像剤が感光体ドラム３２へ供給されるようになっている。
【００３０】
露光装置３６は、後述の制御基板２０から送られた画像信号（画像データ）に基づき静電潜像を形成するようになっている。後述の制御基板２０から送られる画像信号としては、画像読取装置５００が読み取った原稿の画像の画像信号や、画像形成装置１０の外部装置から取得した画像信号がある。
【００３１】
露光装置３６の上方側（Ｙ方向側）には、トナーが収容されているトナー収容容器としてのトナーカートリッジ５８が設けられている。トナーカートリッジ５８内のトナーは、トナー搬送装置（図示省略）によって、現像装置３８へ搬送されるようになっている。
【００３２】
転写ロール２６は、感光体ドラム３２に対向しており、感光体ドラム３２とで記録媒体Ｐを挟んで記録媒体Ｐを上方側（Ｙ方向側）へ搬送するようになっている。また、転写ロール２６には、感光体ドラム３２のトナー像を記録媒体Ｐへ転写させるための転写電圧（転写バイアス）が印加されるようになっている。転写ロール２６と感光体ドラム３２との間が、感光体ドラム３２に形成されたトナー画像が記録媒体Ｐに転写される転写位置Ｔとされている。
【００３３】
搬送部１６は、収容部１２に収容された記録媒体Ｐを送り出す送出ロール４６と、送出ロール４６によって送り出された記録媒体Ｐが搬送される搬送路４８と、搬送路４８に沿って配置され送出ロール４６によって送り出された記録媒体Ｐを転写位置Ｔへ搬送する複数の搬送ロール５０と、を備えている。
【００３４】
定着ユニット８０は、転写位置Ｔの上方側（搬送方向下流側）に配置されており、転写ロール２６によって感光体ドラム３２から記録媒体Ｐへ転写されたトナー画像を当該記録媒体Ｐに定着するようになっている。この定着ユニット８０の上方側（搬送方向下流側）には、トナー画像が定着された記録媒体Ｐを排出部１８へ排出する排出ロール５２が設けられている。なお、定着ユニット８０の具体的な構成は、後述する。
【００３５】
また、片面にトナー画像が定着された記録媒体Ｐを反転させて、再び転写位置Ｔへ送り戻すための反転搬送路３７が、転写ロール２６に対する感光体ドラム３２とは反対側（−Ｘ方向側）に設けられている。記録媒体Ｐの両面に画像を形成する際には、片面にトナー画像が定着された記録媒体Ｐが、排出ロール５２によりスイッチバックされて反転搬送路３７に導かれ、転写位置Ｔへ送り戻されるようになっている。
【００３６】
次に、画像記録装置１００における、記録媒体Ｐへ画像を形成（記録）する画像形成動作（画像記録動作）について説明する。
【００３７】
画像記録装置１００では、送出ロール４６によって収容部１２から送り出された記録媒体Ｐが、複数の搬送ロール５０によって転写位置Ｔへ送り込まれる。
【００３８】
一方、画像形成ユニット６０では、感光体ドラム３２が帯電ロール２３によって帯電された後、露光装置３６によって露光されて、感光体ドラム３２に静電潜像が形成される。当該静電潜像が現像装置３８によって現像されて感光体ドラム３２に黒色のトナー画像が形成される。この黒色のトナー画像は、転写ロール２６により転写位置Ｔにて記録媒体Ｐへ転写される。
【００３９】
トナー画像が転写された記録媒体Ｐは、定着ユニット８０へ搬送され、当該トナー画像が定着ユニット８０により定着される。記録媒体Ｐの片面へのみ画像を形成する場合は、トナー画像が定着された後、記録媒体Ｐは排出ロール５２により排出部１８へ排出される。
【００４０】
記録媒体Ｐの両面へ画像を形成する場合には、片面に画像が形成された後、記録媒体Ｐは、排出ロール５２でスイッチバックされ、反転して反転搬送路３７へ送り込まれる。さらに、当該記録媒体は、反転搬送路３７から再び転写位置Ｔへ送り込まれ、画像が記録されていない反対面に、前述と同様に画像が形成され、排出ロール５２により排出部１８へ排出される。以上のように、一連の画像形成動作が行われる。
【００４１】
（定着ユニット８０の構成）
次に、定着ユニット８０の構成を説明する。図２及び図３は、定着ユニット８０の構成を示す概略図である。
【００４２】
定着ユニット８０は、図２に示されるように、各構成部品が収容される筐体８２を有している。筐体８２には、加圧部材としての加圧ロール８４と、定着部材の一例としての加熱ロール（加熱部材）８６と、が設けられている。
【００４３】
加圧ロール８４は、加熱ロール８６に対して加圧接触されており、回転駆動される加熱ロール８６に従動して回転するようになっている。加熱ロール８６は、円筒状の円筒部材８６Ａと、円筒部材８６Ａの内部空間にその軸方向（Ｚ方向）に沿って設けられたハロゲンランプ等の加熱源８６Ｂと、を備えて構成されている。
【００４４】
円筒部材８６Ａの軸方向両端側は、図３に示されるように、筐体８２に設けられた軸受８８によって、感光体ドラム３２の回転軸方向に沿った回転軸周りに回転可能に支持されている。円筒部材８６Ａの軸方向一端側（−Ｚ方向側）には、定着部材被駆動部の一例としての被駆動側ギヤ９０が設けられている。加熱ロール８６は、この被駆動側ギヤ９０を介して、後述の駆動機構３００（図１４参照）により回転駆動されるようになっている。
【００４５】
加熱源８６Ｂの軸方向両端部は、円筒部材８６Ａの軸方向両端から円筒部材８６Ａの外側へ突出すると共に、筐体８２に設けられた支持部９２によって支持されている。加熱源８６Ｂの軸方向両端部が、円筒部材８６Ａの軸方向両端から円筒部材８６Ａの外側へ突出されているため、定着ユニット８０の軸方向一端（−Ｚ方向端）が、感光体ドラム３２の回転軸方向一端（−Ｚ方向端）よりもリアフレーム１１０側へ回転軸方向に張り出している。すなわち、定着ユニット８０は、感光体ドラム３２の回転軸方向一端（−Ｚ方向端）よりも回転軸方向へ張り出した張出部分８７を有している。
【００４６】
定着ユニット８０では、加熱ロール８６と加圧ロール８４とで記録媒体Ｐを挟んで回転することで記録媒体Ｐを搬送しながら、加圧ロール８４が記録媒体Ｐ（トナー画像）を加圧し、加熱ロール８６が記録媒体Ｐ（トナー画像）を加熱することで、感光体ドラム３２から転写されたトナー画像を記録媒体Ｐに定着するようになっている。
【００４７】
（装置本体１１の構成）
次に、装置本体１１の具体的な構成について説明する。
【００４８】
装置本体１１は、図４に示されるように、側壁の一例としてのリアフレーム１１０（図５参照）と、リアフレーム１１０に対向する対向壁（側壁）の一例としてのフロントフレーム１２０（図６参照）と、を有している。
【００４９】
リアフレーム１１０の背面（−Ｚ方向側の側面）には、転写ロール２６へ電力を供給する電源基板の一例としての高電圧電源基板４０２が設けられている。高電圧電源基板４０２は、現像装置３８の現像ロール３８Ａ、帯電ロール２３にも、電力を供給するようになっている。
【００５０】
リアフレーム１１０の背面（−Ｚ方向側の側面）には、さらに、高電圧電源基板４０２が供給する電力における電圧よりも低電圧の電力を各部に供給する低電圧電源基板４０４と、画像記録装置１００の各部の動作を制御する制御部としての制御基板２０と、が設けられている。
【００５１】
リアフレーム１１０は、図３に示されるように、感光体ドラム３２の回転軸方向一端及び定着ユニット８０の軸方向一端に対して一方の面（Ｚ方向側の面）が、その軸方向に対向しており、当該対向する部分が少なくとも平面状（Ｘ方向及びＹ方向に沿った平面状）とされている。また、リアフレーム１１０と感光体ドラム３２の回転軸方向一端との間の距離は、リアフレーム１１０と定着ユニット８０の軸方向一端との間の距離も長くなっている。
【００５２】
（定着ユニット８０の位置決め機構２００）
次に、装置本体１１（リアフレーム１１０及びフロントフレーム１２０）に対して定着ユニット８０を位置決めする位置決め機構２００について説明する。
【００５３】
位置決め機構２００は、図４に示されるように、定着ユニット８０をリアフレーム１１０に対して位置決めするリア側位置決め機構２００Ａ（図５参照）と、定着ユニット８０をフロントフレーム１２０に対した位置決めするフロント側位置決め機構２００Ｂ（図６参照）と、を有している。
【００５４】
（リア側位置決め機構２００Ａ）
リア側位置決め機構２００Ａは、図７に示されるように、リアフレーム１１０から突出する第１突出部材（定着装置支持部材）の一例としての円柱状の第１スタッド２１０と、第１スタッド２１０の突出方向先端側を支持する支持部材の一例としてのブラケット２３０と、を有している。
【００５５】
ブラケット２３０は、図８に示されるように、平面視にて第１スタッド２１０を挟むように第１スタッド２１０の突出方向（Ｚ方向）に沿ってリアフレーム１１０から張り出す一対の張出部２３２、２３４と、張出部２３２、２３４の先端部同士を連結し第１スタッド２１０の先端側を支持する支持部２３６と、を有している。なお、ここでいう「第１スタッド２１０の先端側」とは、第１スタッド２１０におけるリアフレーム１１０から突出する部分のうち、突出方向中央（Ｚ方向中央）から先端までの部分をいう。
【００５６】
ブラケット２３０は、一対の張出部２３２、２３４及び支持部２３６が一体に形成された板状部材（板金）で構成されている。なお、ブラケット２３０は、リアフレーム１１０よりも厚い板状部材（板金）で構成されている。また、本実施形態では、一対の張出部２３２、２３４の板厚方向がＸ方向とされ、支持部２３６の板厚方向が、Ｚ方向とされている。
【００５７】
張出部２３２は、図９（右側面図）に示されるように、側面視にて、リアフレーム１１０からＺ方向に延びる第１部分２３２Ａと、第１部分２３２Ａの先端（Ｚ方向端）から下方（−Ｙ方向）へ延びる第２部分２３２Ｂと、第２部分２３２Ｂの先端（下端）からＺ方向に延びる第３部分２３２Ｃと、を有している。第１部分２３２Ａは、支持部２３６（第１スタッド２１０）よりも上方（Ｙ方向）の位置でリアフレーム１１０に対してネジ止めにより固定されている。具体的には、第１部分２３２Ａをリアフレーム１１０に対してネジ止めするネジ２４５の軸中心が、第１スタッド２１０の軸中心よりも上方（Ｙ方向）の位置に位置している。このように、張出部２３２は、第１スタッド２１０よりも上方でリアフレーム１１０に対して取り付けられている。これにより、張出部２３２は、引張りによって第１スタッド２１０を支持するようになっている。すなわち、第１スタッド２１０（定着ユニット８０）から張出部２３２に負荷される荷重は、圧縮荷重ではなく、引張荷重となっている。
【００５８】
張出部２３４は、図１０（左側面図）に示されるように、側面視にて、リアフレーム１１０からＺ方向に延びる第１部分２３４Ａと、第１部分２３４Ａの先端（Ｚ方向端）から下方（−Ｙ方向）へ延びる第２部分２３４Ｂと、を有しており、側面視にてＬ字状に形成されている。
【００５９】
第１部分２３４Ａは、第１スタッド２１０よりも上方（Ｙ方向）の位置でリアフレーム１１０に対してネジ止めにより固定されている。具体的には、第１部分２３４Ａをリアフレーム１１０に対してネジ止めするネジ２４７の軸中心２４７Ｃが、第１スタッド２１０の軸中心２１０Ｃよりも上方（Ｙ方向）の位置に位置している。このように、張出部２３４は、第１スタッド２１０よりも上方でリアフレーム１１０に対して取り付けられている。これにより、張出部２３４は、引張りによって第１スタッド２１０を支持するようになっている。すなわち、第１スタッド２１０（定着ユニット８０）から張出部２３４に負荷される荷重は、圧縮荷重ではなく、引張荷重となっている。
【００６０】
第２部分２３４Ｂには、図１１に示されるように、リアフレーム１１０に沿った側方であって張出部２３４に対する第１スタッド２１０側とは反対側（−Ｘ方向）へ張出部２３４から突出する第２突出部材の一例としてのピン２３８が形成されている。また、第２部分２３４Ｂにおけるピン２３８の上方（Ｙ方向）には、ネジ２３３がねじ込まれるネジ孔２３１が形成されている。さらに、第２部分２３４Ｂの−Ｘ方向側の面は、後述の第２位置決め部９８に突き当たって、Ｘ方向において定着ユニット８０を位置決めする位置決め面２３９とされている。
【００６１】
一方、定着ユニット８０の筐体８２における−Ｚ方向端部側には、Ｘ方向へ開口する開口部９６Ａを有する第１位置決め部の一例としてのフック（引掛部）９６が形成されている。このフック９６は、開口部９６Ａに対して、第１スタッド２１０における支持部２３６よりも先端側がその径方向（−Ｘ方向）に差し込まれることで、上下方向（Ｙ方向）において定着ユニット８０を位置決めするようになっている。
【００６２】
定着ユニット８０の筐体８２における−Ｚ方向端部側には、Ｘ方向へ開口（貫通）する挿入孔９８Ａを有する第２位置決め部９８が形成されている。この第２位置決め部９８は、挿入孔９８Ａに対して、ピン２３８がその軸方向に挿入されることで上下方向（Ｙ方向）及び第１スタッド２１０の突出方向（Ｚ方向）において定着ユニット８０を位置決めするようになっている。また、第２位置決め部９８における挿入孔９８Ａの上方には、張出部２３４のネジ孔２３１にねじ込まれるネジ２３３が通される通孔９１が形成されている。
【００６３】
リア側位置決め機構２００Ａは、図７及び図９に示されるように、リアフレーム１１０の−Ｚ方向側に設けられ、第１スタッド２１０がリアフレーム１１０を貫通して突出するように第１スタッド２１０の基端部が取り付けられた取付部材の一例と取付板２４０を有している。この取付板２４０には、リアフレーム１１０を貫通してＺ方向に沿って突出し、画像形成ユニット６０の感光体ドラム３２を回転可能に支持する第３突出部材（保持体支持部材）の一例としての第２スタッド２４２が設けられている。すなわち、本実施形態では、第２スタッド２４２に支持された感光体ドラム３２に対しても、定着ユニット８０が位置決めされるようになっている。
【００６４】
（フロント側位置決め機構２００Ｂ）
フロント側位置決め機構２００Ｂは、図１２に示されるように、定着ユニット８０の軸方向一端部（Ｚ方向端部）をフロントフレーム１２０に対して位置決めすると共に、定着ユニット８０の軸方向一端部（Ｚ方向端部）のフロントフレーム１２０に対する上下方向位置を調整する機能を有している。具体的には、フロント側位置決め機構２００Ｂは、フロントフレーム１２０に固定された固定板２５２と、固定板２５２に対する取付位置が上下方向に変更可能な調整部材としての調整ブラケット２５４と、を備えている。
【００６５】
固定板２５２には、上下方向の位置が異なる３組のネジ孔２６１Ａ（２６１Ｂ）、２６２Ａ（２６２Ｂ）、２６３Ａ（２６３Ｂ）が形成されている。なお、ネジ孔２６１Ａ、２６２Ａ、２６３Ａは、それぞれ、ネジ孔２６１Ｂ、２６２Ｂ、２６３Ｂと、上下方向の位置が等しくされている。すなわち、ネジ孔２６１Ａ、２６１Ｂと、ネジ孔２６２Ａ、２６２Ｂと、ネジ孔２６３Ａ、２６３Ｂとは、それぞれ、Ｘ方向に沿った直線上に配置されている。当該直線は、それぞれ、高さが異なっている。
【００６６】
調整ブラケット２５４には、３つの通孔２７１、２７２、２７３と、Ｘ方向に長さを有する長孔２７４と、が形成されている。３つの通孔２７１、２７２、２７３と長孔２７４とは、上下方向の位置が等しくされている。すなわち、３つの通孔２７１、２７２、２７３と長孔２７４は、Ｘ方向に沿った直線上に配置されている。
【００６７】
通孔２７１、２７２、２７３は、それぞれ、ネジ孔２６１Ａ、２６２Ａ、２６３Ａに対応した位置に配置されており、通孔２７１、２７２、２７３のいずれかに通されたネジ２８０が、その通孔に対応するネジ孔２６１Ａ、２６２Ａ、２６３Ａのいずれかにねじ込まれるようになっている。長孔２７４は、ネジ孔２６１Ｂ、２６２Ｂ、２６３Ｂに対応した位置に配置されており、長孔２７４に通されたネジ２９０が、ネジ２８０がねじ込まれたネジ孔２６１Ａ、２６２Ａ、２６３Ａと高さが等しいネジ孔２６１Ｂ、２６２Ｂ、２６３Ｂのいずれかにねじ込まれるようになっている。
【００６８】
これにより、通孔２７１、ネジ孔２６１Ａ、長孔２７４、ネジ孔２６１Ｂを用いて調整ブラケット２５４を取り付けた場合（第１取付態様）と、通孔２７２、ネジ孔２６２Ａ、長孔２７４、ネジ孔２６２Ｂを用いて調整ブラケット２５４を取り付けた場合（第２取付態様）と、通孔２７３、ネジ孔２６３Ａ、長孔２７４、ネジ孔２６３Ｂを用いて調整ブラケット２５４を取り付けた場合（第３取付態様）とに、調整ブラケット２５４に対して後述のように位置決めされた定着ユニット８０における上下方向の位置が調整可能とされている。なお、例えば、第１取付態様、第２取付態様、第３取付態様の順で高さが高くなるように設定されている。
【００６９】
調整ブラケット２５４における通孔２７１のＸ方向側には、調整ブラケット２５４から−Ｚ方向に突出する突出部材としての円柱状のスタッド２５６が形成されている。
【００７０】
調整ブラケット２５４における長孔２７４の下方（−Ｙ方向）には、−Ｚ方向に張り出す張出部としての張出片２５８が形成されている。張出片２５８には、ネジ孔２５８Ａが形成されている。
【００７１】
一方、図１３に示されるように、定着ユニット８０の筐体８２におけるＺ方向端部側には、Ｘ方向へ開口する開口部９３Ａを有する位置決め部としてのフック（引掛部）９３が形成されている。このフック９３は、開口部９３Ａに対して、スタッド２５６がその径方向（−Ｘ方向）に差し込まれることで、定着ユニット８０が上下方向（Ｙ方向）において調整ブラケット２５４に対して位置決めされるようになっている。
【００７２】
さらに、定着ユニット８０の筐体８２におけるＺ方向端部側には、張出片２５８の−Ｘ方向側の面に突き当たって、定着ユニット８０をＸ方向において調整ブラケット２５４に対して位置決めする位置決め部としての突当部９５が形成されている。突当部９５には、張出片２５８のネジ孔２５８Ａにねじ込まれるネジ２５５が通される通孔９５Ａが形成されている。この通孔９５Ａに通されたネジ２５５が張出片２５８のネジ孔２５８Ａにねじ込まれることで、定着ユニット８０が上下方向（Ｙ方向）及びＺ方向において調整ブラケット２５４に対して位置決めされるようになっている。
【００７３】
（感光体ドラム３２及び加熱ロール８６の駆動機構３００）
次に、感光体ドラム３２及び加熱ロール８６の駆動機構３００について説明する。
【００７４】
駆動機構３００は、図１４に示されるように、駆動軸３０２Ａがリアフレーム１１０のＺ方向側へ突出するように、リアフレーム１１０のＺ方向側の面に設けられた駆動部の一例としての駆動モータ３０２を備えている。
【００７５】
また、駆動機構３００は、加熱ロール８６の円筒部材８６Ａに設けられた被駆動側ギヤ９０に対してその回転軸方向と直交する直交方向に設けられ、駆動軸３０２Ａからの駆動力を被駆動側ギヤ９０へ伝達する定着部材伝達部材（伝達部材）の一例としてのギヤ３０４を有している。ギヤ３０４は、具体的には、第１スタッド２１０におけるブラケット２３０の支持部２３６よりも基端側部分に回転可能に支持されている。さらに詳細には、ギヤ３０４は、被駆動側ギヤ９０に対して、ギヤ列３０８を通じて伝達された駆動軸３０２Ａからの駆動力を、被駆動側ギヤ９０に対して前記直交方向へ伝達するようになっている。
【００７６】
さらに、駆動機構３００は、感光体ドラム３２に設けられた被駆動側カップリング３２Ａに対して駆動軸３０２Ａからの駆動力を伝達する保持体伝達部材の一例としてのカップリング３０６と、を有している。カップリング３０６は、具体的には、リアフレーム１１０と被駆動側カップリング３２Ａとの間であって被駆動側カップリング３２Ａに対する−Ｚ方向に設けられており、ギヤ列３０８を通じて伝達された駆動軸３０２Ａからの駆動力を、被駆動側カップリング３２Ａに対してその軸方向へ伝達するようになっている。さらに詳細には、カップリング３０６の少なくとも一部が、定着ユニット８０における感光体ドラム３２の回転軸方向一端（−Ｚ方向端）よりも回転軸方向へ張り出した張出部分８７（図３参照）と、感光体ドラム３２の回転軸方向と直交する直交方向に重なって配置されている。すなわち、カップリング３０６の少なくとも一部が、Ｙ方向視にて、張出部分８７と重なっている。
【００７７】
なお、駆動機構３００では、ギヤ３０４、カップリング３０６及びギヤ列３０８が、定着ユニット８０及び画像形成ユニット６０と、リアフレーム１１０との間に配置されている。また、ギヤ列３０８の一部を構成し、ギヤ３０４と噛み合ったギヤ３１０は、リアフレーム１１０と、ブラケット２３０における張出部２３２の第１部分２３２Ａ及び第２部分２３２Ｂと、で囲まれた空間に配置されている。
【００７８】
（本実施形態に係る作用）
次に、本実施形態に係る作用を説明する。ここでは、定着ユニット８０を装置本体１１に対して装着する装着手順について説明する。
【００７９】
まず、装置本体１１の−Ｘ方向側からリアフレーム１１０とフロントフレーム１２０との間に定着ユニット８０をＸ方向へ移動させる（図４参照）。
【００８０】
この定着ユニット８０のＸ方向の移動により、定着ユニット８０の−Ｚ方向端部において、図１１に示されるように、フック９６の開口部９６Ａに対して、第１スタッド２１０における支持部２３６よりも先端側を−Ｘ方向に差し込む。これにより、定着ユニット８０の−Ｚ方向端部が上下方向（Ｙ方向）においてリアフレーム１１０に対して位置決めされる。
【００８１】
また、定着ユニット８０のＸ方向の移動により、挿入孔９８Ａに対して、ピン２３８をその軸方向（−Ｘ方向）に挿入する。これにより、定着ユニット８０の−Ｚ方向端部が上下方向（Ｙ方向）及び第１スタッド２１０の突出方向（Ｚ方向）においてリアフレーム１１０に対して位置決めされる。
【００８２】
また、ピン２３８が挿入された挿入孔９８Ａが形成された第２位置決め部９８が、位置決め面２３９に突き当たる。これにより、定着ユニット８０の−Ｚ方向端部が、Ｘ方向においてリアフレーム１１０に対して位置決めされる。
【００８３】
次に、第２位置決め部９８の通孔９１に対してネジ２３３を通してから、ネジ孔２３１にねじ込んで、定着ユニット８０の−Ｚ方向端部が固定される。
【００８４】
このようして、定着ユニット８０の−Ｚ方向端部が、Ｘ方向、Ｙ方向及びＺ方向において、リアフレーム１１０に対して位置決めされる。
【００８５】
一方、定着ユニット８０のＺ方向端部では、図１３に示されるように、定着ユニット８０のＸ方向の移動により、フック９３の開口部９３Ａに対して、スタッド２５６が−Ｘ方向に差し込まれる。これにより、定着ユニット８０のＺ方向端部が上下方向（Ｙ方向）において調整ブラケット２５４に対して位置決めされる。なお、調整ブラケット２５４は、予め、通孔２７２、ネジ孔２６２Ａ、長孔２７４、ネジ孔２６２Ｂを用いて（第２取付態様で）固定板２５２に取り付けられており、フロントフレーム１２０に対して位置決めされている。
【００８６】
また、定着ユニット８０のＺ方向端部では、定着ユニット８０のＸ方向の移動により、突当部９５が、調整ブラケット２５４の張出片２５８の−Ｘ方向側の面に突き当たる。これにより、定着ユニット８０のＺ方向端部がＸ方向において調整ブラケット２５４に対して位置決めされる。
【００８７】
次に、突当部９５の通孔９５Ａに通されたネジ２５５が、張出片２５８のネジ孔２５８Ａにねじ込まれる。これにより、定着ユニット８０のＺ方向端部が上下方向（Ｙ方向）及びＺ方向において調整ブラケット２５４に対して位置決めされる。
【００８８】
このようして、定着ユニット８０のＺ方向端部が、Ｘ方向、Ｙ方向及びＺ方向において、フロントフレーム１２０に対して位置決めされる。
【００８９】
なお、定着ユニット８０のＺ方向端部を、フロントフレーム１２０に対して、上方へ位置を変更する場合には、通孔２７１、ネジ孔２６１Ａ、長孔２７４、ネジ孔２６１Ｂを用いた第１取付態様で調整ブラケット２５４を固定板２５２に取り付ける。また、定着ユニット８０のＺ方向端部を、フロントフレーム１２０に対して、下方へ位置を変更する場合には、通孔２７３、ネジ孔２６３Ａ、長孔２７４、ネジ孔２６３Ｂを用いた第３取付態様で調整ブラケット２５４を固定板２５２に取り付ける。
【００９０】
本実施形態では、第１スタッド２１０がブラケット２３０で支持されるので、第１スタッド２１０がリアフレーム１１０に対して変位しにくく、簡易な構成で、高精度に定着ユニット８０がリアフレーム１１０に対して位置決めされる。また、本実施形態では、ブラケット２３０の支持部２３６が第１スタッド２１０の先端側を支持するので、第１スタッド２１０の基端側で支持する場合に比べ、第１スタッド２１０の変位が抑制される。
【００９１】
また、本実施形態では、張出部２３２、２３４が第１スタッド２１０よりも上方でリアフレーム１１０に対して取り付けられ、張出部２３２、２３４が引張りによって第１スタッド２１０を支持しているため、張出部２３２、２３４が第１スタッド２１０よりも下方でリアフレーム１１０に対して取り付けられている場合に比べ、第１スタッド２１０の下方への変位が抑制される。
【００９２】
また、本実施形態では、第１スタッド２１０が取り付けられた取付板２４０に第２スタッド２４２が設けられ、第２スタッド２４２で感光体ドラム３２を支持するので、第１スタッド２１０と第２スタッド２４２とが別部品に取り付けられている場合に比べ、高精度に、感光体ドラム３２に対して定着ユニット８０が位置決めされる。これにより、感光体ドラム３２と定着ユニット８０との間隔が変動しにくい。
【００９３】
また、本実施形態では、定着ユニット８０と位置決めする第１スタッド２１０に、ギヤ３０４が支持されているので、ギヤ３０４を支持する専用部品を備える場合に比べ、部品点数が低減される。
【００９４】
また、本実施形態では、カップリング３０６の少なくとも一部が、定着ユニット８０における張出部分８７（図３参照）と、感光体ドラム３２の回転軸方向と直交する直交方向に重なって配置されているので、カップリング３０６が定着ユニット８０における張出部分８７と重ならない場合に比べ、構成の小型化を図ることができる。
【００９５】
また、本実施形態では、高電圧電源基板４０２がリアフレーム１１０の背面（−Ｚ方向側の側面）に設けられているので、高電圧電源基板４０２がリアフレーム１１０のＺ方向側の側面に設けられた場合に比べ、高電圧電源基板４０２の熱が、感光体ドラム３２や定着ユニット８０、現像装置３８に伝わりにくい。
【００９６】
本発明は、上記の実施形態に限るものではなく、種々の変形、変更、改良が可能である。
【符号の説明】
【００９７】
１０   画像形成装置
１１   装置本体
６０   画像形成ユニット（画像形成部の一例）
８０   定着ユニット（定着装置の一例）
９６   フック（第１位置決め部の一例）
９６Ａ 開口部
９８Ａ 挿入孔
９８   第２位置決め部
１１０ リアフレーム（側壁の一例）
２００ 位置決め機構
２１０ 第１スタッド（第１突出部材の一例）
２３０ ブラケット（支持部材の一例）
２３２ 張出部
２３４ 張出部
２３６ 支持部
２３８ ピン（第２突出部材の一例）
２３９ 位置決め面
２４０ 取付板（取付部材の一例）
２４２ 第２スタッド（第３突出部材の一例）
３０４ ギヤ（伝達部材の一例）
【図１】
0006035819.tif 000002
【図２】
0006035819.tif 000003
【図３】
0006035819.tif 000004
【図４】
0006035819.tif 000005
【図５】
0006035819.tif 000006
【図６】
0006035819.tif 000007
【図７】
0006035819.tif 000008
【図８】
0006035819.tif 000009
【図９】
0006035819.tif 000010
【図１０】
0006035819.tif 000011
【図１１】
0006035819.tif 000012
【図１２】
0006035819.tif 000013
【図１３】
0006035819.tif 000014
【図１４】
0006035819.tif 000015